(57)【要約】【課題】  確実に電子シャッタ動作、リセット動作を行うことができる固体撮像装置を提供する。【解決手段】    光電変換部及び前記光電変換部で得られた電荷を転送する電荷転送部を有する固体撮像素子と、光電変換部で得られた電荷の移動を制御するための第１パルスを生成する第１パルス生成手段４１と、第１パルスと同一のタイミングの第２パルスを生成する第２パルス生成手段４２と、第１パルス及び第２パルスのいずれかと第１パルス及び第２パルスのいずれかとを加算し、得られたパルスを電子シャッタパルス又はリセットパルスとして固体撮像素子に出力する加算手段４３とを備え、加算手段４３はコンデンサ４４とダイオード４５とを有し、コンデンサ４４の一端とダイオード４５のカソードが接続され、コンデンサ４４の他端に、加算の対象となる一方のパルスが入力され、ダイオード４５のアノードに、加算の対象となる他方のパルスが入力される。【選択図】        図１
2006157142.tif 000002
【特許請求の範囲】
【請求項１】
光電変換部及び前記光電変換部で得られた電荷を転送する電荷転送部を有する固体撮像素子と、
前記光電変換部で得られた電荷の移動を制御するための第１パルスを生成する第１パルス生成手段と、
前記第１パルスと同一タイミングの第２パルスを生成する第２パルス生成手段と、
前記第１パルス及び前記第２パルスのいずれかと前記第１パルス及び前記第２パルスのいずれかとを加算し、得られたパルスを電子シャッタパルス及びリセットパルスのいずれかとして前記固体撮像素子に出力する加算手段とを備え、
前記加算手段は、コンデンサとダイオードとを有し、
前記コンデンサの一端と前記ダイオードのカソードとが接続され、
前記コンデンサの他端に、加算の対象となる一方のパルスが入力され、
前記ダイオードのアノードに、加算の対象となる他方のパルスが入力される
ことを特徴とする固体撮像装置。
【請求項２】
前記コンデンサの他端には、前記第１パルスが入力され、
前記ダイオードのアノードには、前記第２パルスが入力され、
前記加算手段は、加算によって得られたパルスを電子シャッタパルスとして前記固体撮像素子に出力する
ことを特徴とする請求項１記載の固体撮像装置。
【請求項３】
前記コンデンサの他端には、前記第１パルスが入力され、
前記ダイオードのアノードには、前記第１パルスが入力され、
前記加算手段は、加算によって得られたパルスを電子シャッタパルスとして前記固体撮像素子に出力する
ことを特徴とする請求項１記載の固体撮像装置。
【請求項４】
前記固体撮像装置はさらに、前記加算手段に入力される２つのパルスの少なくとも一方を電流増幅するバッファ手段を備え、
前記加算手段は、前記バッファ手段で電流増幅されたパルスを加算する
ことを特徴とする請求項１記載の固体撮像装置。
【請求項５】
前記コンデンサの他端には、前記第１パルスが入力され、
前記ダイオードのアノードには、前記バッファ手段からの出力信号が入力され、
前記バッファ手段には、前記第２パルスが入力され、
前記加算手段は、加算によって得られたパルスを電子シャッタパルスとして前記固体撮像素子に出力する
ことを特徴とする請求項５記載の固体撮像装置。
【請求項６】
前記コンデンサの他端には、前記第１パルスが入力され、
前記ダイオードのアノードには、前記バッファ手段からの出力信号が入力され、
前記バッファ手段には、前記第１パルスが入力され、
前記加算手段は、加算によって得られたパルスを電子シャッタパルスとして前記固体撮像素子に出力する
ことを特徴とする請求項５記載の固体撮像装置。
【請求項７】
前記コンデンサの他端には、前記第２パルスが入力され、
前記ダイオードのアノードには、前記第２パルスが入力され、
前記加算手段は、加算によって得られたパルスをリセットパルスとして前記固体撮像素子に出力する
ことを特徴とする請求項１記載の固体撮像装置。
【請求項８】
前記固体撮像装置はさらに、入力信号を電流増幅するバッファ手段を備え、
前記コンデンサの他端には、前記第２パルスが入力され、
前記ダイオードのアノードには、前記バッファ手段からの出力信号が入力され、
前記バッファ手段には、前記第２パルスが入力され、
前記加算手段は、加算によって得られたパルスをリセットパルスとして前記固体撮像素子に出力する
ことを特徴とする請求項１記載の固体撮像装置。
【請求項９】
前記第１パルス生成手段には、正の第１電源電圧と負の第２電源電圧とが供給され、
前記第１パルス生成手段は、前記第１電源電圧と前記第２電源電圧との差に相当する波高のパルスを前記第１パルスとして生成し、
前記第２パルス生成手段には、正の第３電源電圧とグランド電位が供給され、
前記第２パルス生成手段は、前記第３電源電圧と前記グランド電位との差に相当する波高のパルスを前記第２パルスとして生成する
ことを特徴とする請求項１記載の固体撮像装置。
【請求項１０】
前記固体撮像装置はさらに、前記加算手段から出力された電子シャッタパルス又はリセットパルスに直流電圧を重畳させ、得られたパルスを前記固体撮像素子に供給するＤＣクランプ手段を備える
ことを特徴とする請求項１記載の固体撮像装置。
【発明の詳細な説明】
【技術分野】
【０００１】
本発明は、パルス加算によりリセットパルス、電子シャッタパルスを生成するビデオカメラ、デジタルスチルカメラ、携帯電話などに使用されているカメラ等の固体撮像装置に関するものである。
【背景技術】
【０００２】
図７は、固体撮像素子１２を含む従来のＣＣＤイメージセンサの構成図である。基板１１上には、複数個の光電変換部１が垂直方向および水平方向にマトリクス状に配置（撮像領域３）されている。それぞれの光電変換部１には垂直方向に電荷を読み出し転送する垂直転送レジスタ２が接続されており、クロックΦＶ１からΦＶ４間での４相のパルスにより垂直方向に電荷が転送される。
【０００３】
ここで、電子シャッタ（基板シャッタ）パルスＳＰは、露光時間以外の時間に光電変換部１に蓄えられた電荷をオーバーフロードレイン機構により基板方向に抜くために印加される。タイミング発生回路２４で電子シャッタパルスＳＰを生成し、この電子シャッタパルスＳＰをコンデンサ３２で直流カットした後、チップの端子３３に供給し基板１１に印加するようになっている。なおこのとき、電子シャッタパルスＳＰの低レベルはＤＣクランプ部２５において基板バイアスＶｓｕｂの直流レベルにクランプされる。
【０００４】
垂直レジスタ部２により転送された電荷は、水平レジスタ部４に送られ、クロックΦＨ１、ΦＨ２、ΦＨＧ（不図示）により転送され出力ゲート（不図示）からフローティングディフュージョン５に送られる。フローティングディフュージョン５に送られた電荷は、電荷−電圧変換された後アンプ６により増幅され出力される。ここで、画像を忠実に出力するためには次に送られてくる電荷がフローティングディフュージョン５に転送される前にフローティングディフュージョン５に残留した残留電荷を排出（リセット）する必要がある。このリセット動作を図８により説明する。
【０００５】
図８は、図７における水平転送部４等の構成を示すものである。図８（ａ）に示したクロックΦＨ１、ΦＨ２、ΦＨＬによって転送されてきた電荷は、出力ゲートＯＧを経てフローティングディフュージョン（ＦＤ）５に図８（ｂ）に示すように集められる。集められた電荷はフローティングディフュージョン５で電圧に変換され、前述のようにアンプ６を経て出力されるが、その際残留した電荷は、リセットゲート（ＲＧ）７にリセットパルスＲＰを入力することにより排出され、フローティングディフュージョン（ＦＤ）５がリセットされる。
【０００６】
図９は電子シャッタパルスＳＰ及びリセットパルスＲＰの生成に関する従来の回路である。ここで、この図の固体撮像素子１２を除いた部分は、図７における固体撮像素子１２の外部の回路に相当するものである。第１のパルス生成部４１で生成されたパルスは、例えばＨｉレベルがＣＣＤ駆動用高電圧電源１５Ｖ、ＬｏレベルがＣＣＤ駆動用低電圧電源−８Ｖである。このパルスはコンデンサ３２で直流成分がカットされた後、ＤＣクランプ部２５でＤＣクランプされ固体撮像素子１２に電子シャッタパルスＳＰとして入力される（例えば、特許文献１）。
【０００７】
一方、第２のパルス生成部４２で生成されたパルスは、Ｈｉレベルがロジック用電源３．３Ｖ、Ｌｏレベルが０Ｖである。このパルスはコンデンサ４８においてＤＣカットされた後ＤＣクランプ部２５でＤＣクランプされ固体撮像装置１２にリセットパルスＲＰとして入力される。
【特許文献１】特開平５−１４９０９号公報
【発明の開示】
【発明が解決しようとする課題】
【０００８】
しかしながら、特許文献１において開示されている方法では、近年の固体撮像素子に対する低電圧化の要求に伴い、電子シャッタパルス、リセットパルスの電圧が低くなってしまうため、電子シャッタ動作、リセット動作を確実に行うことが困難になってきている。また微細化の要求に伴い、光電変換部の面積縮小は避けられず光電変換部に蓄積された電荷をオーバーフロードレイン機構により基板方向に抜く電子シャッタ動作を確実に行うことが困難になってきている。また高機能化の要求に伴い、ダイナミッックレンジ向上のため、飽和電荷量を増やすためにはリセットバイアスを低く設定する必要があり、リセット動作を確実に行うことが困難になる。これらの面からも電子シャッタパルス、リセットパルスの高電圧化が求められる。電子シャッタ動作が十分でない場合には、いわゆる白ザラを生じることもある。またリセット動作が十分でない場合には、リセットはずれをおこすこともある。
【０００９】
そこで、本発明は、このような問題点に鑑みてなされたものであり、確実に電子シャッタ動作及びリセット動作を行うことができる固体撮像装置等を提供することを目的とする。
【課題を解決するための手段】
【００１０】
上記課題を解決し上記目的を達成するために、本発明の固体撮像装置では、光電変換部及び前記光電変換部で得られた電荷を転送する電荷転送部を有する固体撮像素子と、前記光電変換部で得られた電荷の移動を制御するための第１パルスを生成する第１パルス生成手段と、前記第１パルスと同一タイミングの第２パルスを生成する第２パルス生成手段と、前記第１パルス及び前記第２パルスのいずれかと前記第１パルス及び前記第２パルスのいずれかとを加算し、得られたパルスを電子シャッタパルス及びリセットパルスのいずれかとして前記固体撮像素子に出力する加算手段とを備え、前記加算手段は、コンデンサとダイオードとを有し、前記コンデンサの一端と前記ダイオードのカソードとが接続され、前記コンデンサの他端に、加算の対象となる一方のパルスが入力され、前記ダイオードのアノードに、加算の対象となる他方のパルスが入力されることを特徴としている。
【００１１】
このように、本発明の固体撮像装置では２つのパルスを加算した高電圧のパルスが電子シャッタパルス又はリセットパルスとして固体撮像素子に出力される。そのため、確実に不要電荷、残留電荷の排出が行われ、これによりＳ／Ｎ比及びダイナミックレンジ（飽和電荷量）が向上される。また、既存のパルス生成手段より生成されるパルス使用し、コンデンサとダイオードというわずかな部品を付加することでパルス加算が行われる。そのため簡易に高電圧のパルスが得られる。
【００１２】
ここで、前記コンデンサの他端には、前記第１パルスが入力され、前記ダイオードのアノードには、前記第２パルスが入力され、前記加算手段は、加算によって得られたパルスを電子シャッタパルスとして前記固体撮像素子に出力するとしてもよい。
【００１３】
この構成によれば、第１パルスと第２パルスを加算したパルスが電子シャッタパルスとして固体撮像素子に出力される。
【００１４】
ここで、前記コンデンサの他端には、前記第１パルスが入力され、前記ダイオードのアノードには、前記第１パルスが入力され、前記加算手段は、加算によって得られたパルスを電子シャッタパルスとして前記固体撮像素子に出力するとしてもよい。
【００１５】
この構成によれば、第１パルスを２つ加算したパルスが電子シャッタパルスとして固体撮像素子に出力される。
【００１６】
ここで、前記固体撮像装置はさらに、前記加算手段に入力される２つのパルスの少なくとも一方を電流増幅するバッファ手段を備え、前記加算手段は、前記バッファ手段で電流増幅されたパルスを加算するとしてもよい。
【００１７】
この構成によれば、バッファ手段により第１パルス発生手段もしくは第２パルス生成手段の駆動能力を補うことができ、確実に加算パルスを生成することができる。
【００１８】
ここで、前記コンデンサの他端には、前記第１パルスが入力され、前記ダイオードのアノードには、前記バッファ手段からの出力信号が入力され、前記バッファ手段には、前記第２パルスが入力され、前記加算手段は、加算によって得られたパルスを電子シャッタパルスとして前記固体撮像素子に出力するとしてもよい。
【００１９】
この構成によれば、第１パルスと第２パルスを加算したパルスが電子シャッタパルスとして固体撮像素子に出力される。更に、バッファ手段により第２パルス生成手段の駆動能力を補うことができ、確実にパルス加算を生成することができる。
【００２０】
ここで、前記コンデンサの他端には、前記第１パルスが入力され、前記ダイオードのアノードには、前記バッファ手段からの出力信号が入力され、前記バッファ手段には、前記第１パルスが入力され、前記加算手段は、加算によって得られたパルスを電子シャッタパルスとして前記固体撮像素子に出力するとしてもよい。
【００２１】
この構成によれば、第１パルスを２つ加算したパルスが電子シャッタパルスとして固体撮像素子に出力される。更に、バッファ手段により第１パルス生成手段の駆動能力を補うことができ、確実にパルス加算を生成することができる。
【００２２】
ここで、前記コンデンサの他端には、前記第２パルスが入力され、前記ダイオードのアノードには、前記第２パルスが入力され、前記加算手段は、加算によって得られたパルスをリセットパルスとして前記固体撮像素子に出力するとしてもよい。
【００２３】
この構成によれば、第２パルスを２つ加算したパルスがリセットパルスとして固体撮像素子に出力される。
【００２４】
ここで、前記固体撮像装置はさらに、入力信号を電流増幅するバッファ手段を備え、前記コンデンサの他端には、前記第２パルスが入力され、前記ダイオードのアノードには、前記バッファ手段からの出力信号が入力され、前記バッファ手段には、前記第２パルスが入力され、前記加算手段は、加算によって得られたパルスをリセットパルスとして前記固体撮像素子に出力するとしてもよい。
【００２５】
この構成によれば、第２パルスを２つ加算したパルスがリセットパルスとして固体撮像素子に出力される。更に、バッファ手段により第２パルス生成手段の駆動能力を補うことができ、確実にパルス加算を生成することができる。
【００２６】
ここで、前記第１パルス生成手段には、正の第１電源電圧と負の第２電源電圧とが供給され、前記第１パルス生成手段は、前記第１電源電圧と前記第２電源電圧との差に相当する波高のパルスを前記第１パルスとして生成し、前記第２パルス生成手段には、正の第３電源電圧とグランド電位が供給され、前記第２パルス生成手段は、前記第３電源電圧と前記グランド電位との差に相当する波高のパルスを前記第２パルスとして生成するとしてもよい。
【００２７】
この構成によれば、２つの電源間の電圧差に相当する波高の第１のパルスが生成され、電源の電圧とグランド電位との差に相当する波高の第２のパルスが生成される。
【００２８】
ここで、前記固体撮像装置はさらに、前記加算手段から出力された電子シャッタパルス又はリセットパルスに直流電圧を重畳させ、得られたパルスを前記固体撮像素子に供給するＤＣクランプ手段を備えるとしてもよい。
【００２９】
この構成によれば、ＤＣクランプ手段によって、電子シャッタパルス又はリセットパルスに直流電圧が重畳される。
【発明の効果】
【００３０】
本発明は、従来のパルス生成回路にわずかな部品を付加するだけで、低電圧化、微細化、高機能化の要求に対する高電圧の電子シャッタパルス、リセットパルスを生成することでき、簡易かつ確実に電子シャッタ動作、リセット動作ができる固体撮像装置を提供することができる。
【発明を実施するための最良の形態】
【００３１】
以下に、本発明を実施するための最良の形態について、図面を参照して説明する。
（実施の形態１）
先ず、本発明の実施の形態１の固体撮像装置を説明する。図１は、実施の形態１の固体撮像装置であり、特に電子シャッタパルスＳＰの生成に関する回路図を示している。この固体撮像装置は、ＣＣＤイメージセンサであり、２つのパルス生成部を有し、またこれらから生成される２つのパルスを加算する加算部を有している。加算部で加算された加算パルスが電子シャッタパルスＳＰとして固体撮像素子に入力される。
【００３２】
第１のパルス生成部４１は第１のパルスを生成する。第２のパルス生成部４２は第２のパルスを生成する。パルス加算部４３は、コンデンサ４４とダイオード４５を有しており、第１のパルスと第２のパルスとを加算する。バッファアンプ４６は電流増幅をし、コンデンサ３２は直流成分をカットする。ＤＣクランプ部２５は、加算パルスに直流電圧を重畳する。この直流電圧を重畳された加算パルスが電子シャッタパルスＳＰとなる。固体撮像装素子１２には、電子シャッタパルスＳＰが入力される。ここで、この図の固体撮像素子１２を除いた部分は、図７における固体撮像素子１２の外部の回路に相当するものである。
【００３３】
第１のパルス生成部４１で生成されるパルスは、例えばＨｉレベルがＣＣＤ用高電圧電源１５Ｖ、ＬｏレベルがＣＣＤ用低電圧電源−８Ｖである。このパルスがパルス加算部４３内のコンデンサ４４の一方の端子に入力される。第２のパルス生成部４２で前記第１のパルス生成部４１で生成されるパルスと同一のタイミングで生成されるパルスはＨｉレベルがロジック用電源３．３Ｖ、Ｌｏレベル０Ｖでありパルス加算部４３内のダイオード４５のアノード端子に入力される。こうすることで、コンデンサ４４の他方の端子と、ダイオード４５のカソード端子が接続された接続点には、Ｈｉレベル２６．３Ｖ、Ｌｏレベル０Ｖのパルスが生成される。この電圧は、ＤＣクランプとして機能する第２パルスに、第１パルスの変化分（交流成分）を重畳させたものとなっている。すなわち、パルス加算部においてパルス加算が行われている。加算後のパルスはバッファアンプ４６、コンデンサ３２を介してＤＣクランプ部２５でＤＣクランプされる。つまり、Ｖ１[Ｖ]ＤＣ電圧が付加された後、電子シャッタパルスＳＰとして固体撮像装置１２に入力される。なお、バッファアンプ４６は電圧増幅度１で、電流を増幅するものでありたとえば、ＭＯＳトランジスタ１個のソースホロワ回路によって実現できる。
【００３４】
このようにすることで、わずかな回路付加で従来と比較して高い電圧のパルスをシャッタパルスＳＰとして入力することができ、確実に電子シャッタ動作を行うことができる。
【００３５】
（実施の形態２）
本発明の実施の形態２の固体撮像装置を説明する。図２は、実施の形態２の固体撮像装置であり、特に電子シャッタパルスＳＰの生成に関する回路図を示している。この固体撮像装置は、ＣＣＤイメージセンサであり、２つのパルス生成部を有し、またこれらから生成される２つのパルスを加算する加算部を有している。加算部で加算された加算パルスが電子シャッタパルスＳＰとして固体撮像素子入力される。
【００３６】
図１と同様の部分に関しては同一の符号を付加し説明を省略する。本実施の形態においては、第１のパルス生成部４１により生成されるパルスが、コンデンサ４４の一方の端子およびダイオード４５のアノード端子に入力される。こうすることで、コンデンサ４４の他方の端子とダイオード４５のカソード端子が接続された接続点には、Ｈｉレベル３８Ｖ、Ｌｏレベル−８Ｖのパルスが生成される。この電圧は、ＤＣクランプとして機能する第１パルスに、第１パルスの変化分（交流成分）を重畳させたものとなっている。加算後のパルスはバッファアンプ４６、コンデンサ３２を介してＤＣクランプ部２５でＤＣクランプされる。つまりＶ１[Ｖ]ＤＣ電圧が付加された後、電子シャッタパルスＳＰとして固体撮像装置１２に入力される。
【００３７】
このようにすることで、実施の形態１と比較して更に高い電圧のパルスを電子シャッタパルスＳＰとして入力することができる。
【００３８】
（実施の形態３）
本発明の実施の形態３の固体撮像装置を説明する。図３は、実施の形態３の固体撮像装置であり、特に電子シャッタパルスＳＰの生成に関する回路図を示している。ここの固体撮像装置は、ＣＣＤイメージセンサであり、２つのパルス生成部を有し、またこれらから生成される２つのパルスを加算する加算部を有している。加算部で加算された加算パルスが電子シャッタパルスＳＰとして固体撮像素子入力される。
【００３９】
図１と同様の部分に関しては同一の符号を付加し説明を省略する。本実施の形態が、実施の形態１と異なる点はバッファアンプ５１がダイオードのアノード端子と第２のパルス生成部４２との間に付加されたことにある。バッファアンプ５１は電圧増幅度１で、電流を増幅するものでありたとえば、ＭＯＳトランジスタ１個のソースホロワ回路によって実現できる。このバッファアンプ５１は、パルス加算部４３の安定した動作を行ううえで有用である。つまり、加算後のパルスが供給される固体撮像素子の負荷が大きい（インピーダンスが小さい）場合であっても、第２のパルス生成部４２の出力段の駆動能力を補うことで確実に２６．３Ｖの加算パルスを生成することができる。
【００４０】
（実施の形態４）
本発明の実施の形態４の固体撮像装置を説明する。図４は、実施の形態４の固体撮像装置であり、特に電子シャッタパルスＳＰの生成に関する回路図を示している。この固体撮像装置は、ＣＣＤイメージセンサであり、２つのパルス生成部を有し、またこれらから生成される２つのパルスを加算する加算部を有している。加算部で加算された加算パルスが電子シャッタパルスＳＰとして固体撮像素子入力される。
【００４１】
図１と同様の部分に関しては同一の符号を付加し説明を省略する。本実施の形態が、実施の形態２と異なる点はバッファアンプ５１がダイオードのアノード端子と第１のパルス生成装置４１との間に付加されたことにある。このバッファアンプ５１は、パルス加算部４３の安定した動作を行ううえで有用である。つまり、加算後のパルスが供給される固体撮像素子の負荷が大きい（インピーダンスが小さい）場合であっても、第１のパルス生成部４１の出力段の駆動能力を補うことで確実に４６Ｖの加算パルスを生成することができる。
【００４２】
（実施の形態５）
本発明の実施の形態５の固体撮像装置を説明する。図５は、実施の形態５の固体撮像装置であり、特にリセットパルスＲＰの生成に関する回路図を示している。この固体撮像装置は、ＣＣＤイメージセンサであり、２つのパルス生成部を有し、またこれらから生成される２つのパルスを加算する加算部を有している。加算部で加算された加算パルスがリセットパルスＲＰとして固体撮像素子入力される。
【００４３】
図１と同様の部分に関しては同一の符号を付加し説明を省略する。本実施形態においては、第２のパルス生成部４２により生成されるパルスを、コンデンサ４４の一方の端子およびダイオード４５のアノード端子に入力する。こうすることで、コンデンサ４４の他方の端子とダイオード４５のカソード端子が接続された接続点には、Ｈｉレベル６．６Ｖ、Ｌｏレベル０Ｖのパルスが生成される。この電圧は、ＤＣクランプとして機能する第２パルスに、第２パルスの変化分（交流成分）を重畳させたものとなっている。すなわち、パルス加算部においてパルス加算が行われる。加算後のパルスはバッファアンプ４６、コンデンサ４８を介してＤＣクランプ部２５でＤＣクランプされる。つまり、Ｖ２[Ｖ]ＤＣ電圧が付加された後、リセットパルスＲＰとして固体撮像装置１２に入力される。
【００４４】
このようにすることで、従来と比較して高い電圧のパルスをリセットパルスＲＰとして入力することができ、確実にリセット動作を行うことができる。つまり、フローティングディフュージョン５に蓄積しておくためのポテンシャルの壁（図８（ｂ）におけるリセットゲートＲＧに対応する壁）を高くしておけるので、より多くの電荷を蓄積することが可能となり、ダイナミックレンジ（飽和電荷量）が向上する。
【００４５】
（実施の形態６）
本発明の実施の形態６の固体撮像装置を説明する。図６は、実施の形態６の固体撮像装置であり、特にリセットパルスＲＰの生成に関する回路図を示している。この固体撮像装置は、ＣＣＤイメージセンサであり、２つのパルス生成部を有し、またこれらから生成される２つのパルスを加算する加算部を有している。加算部で加算された加算パルスがリセットパルスＲＰとして固体撮像素子入力される。
図１と同様の部分に関しては同一の符号を付加し説明を省略する。本実施の形態が、実施の形態５と異なる点はバッファアンプ５１がダイオードのアノード端子と第２のパルス生成部４２との間に付加されたことにある。このバッファアンプ５１は、パルス加算部４３の安定した動作を行ううえで有用である。つまり、加算後のパルスが供給される固体撮像素子の負荷が大きい（インピーダンスが小さい）場合であっても、第２のパルス生成部４２の出力段の駆動能力を補うことで確実に６．６Ｖの加算パルスを生成することができる。
【００４６】
尚、バッファアンプ５１の設置箇所はダイオード４５のアノード端子前方に限定されるものではなく、コンデンサ４４のパルス生成部側の端子でもよく、また実施の形態４又は実施の形態６においては、パルス生成部からコンデンサ４４とダイオード４５とに分岐する接続点までの間に設置してもよい。また複数個所設置してもよい。
【００４７】
尚、上記の実施例においてＤＣクランプ部２５は、固体撮像素子１２の外部に設けられているが、固体撮像素子１２の内部にあっても構わない。
【産業上の利用可能性】
【００４８】
本発明は、ＣＣＤイメージセンサ等の固体撮像装置として、特に、確実に電子シャッタ動作、リセット動作ができる固体撮像装置として有用である。
【図面の簡単な説明】
【００４９】
【図１】実施の形態１の固体撮像装置の構成図である。
【図２】実施の形態２の固体撮像装置の構成図である。
【図３】実施の形態３の固体撮像装置の構成図である。
【図４】実施の形態４の固体撮像装置の構成図である。
【図５】実施の形態５の固体撮像装置の構成図である。
【図６】実施の形態６の固体撮像装置の構成図である。
【図７】従来のＣＣＤイメージセンサの構造を説明する図である。
【図８】従来のフローティングディフュージョン部のリセット動作を説明する図である。
【図９】従来の固体撮像装置の構成図である。
【符号の説明】
【００５０】
１  光電変換部
２  垂直転送レジスタ
３  撮像領域
４  水平転送レジスタ
５  フローティングディフュージョン
６  アンプ
７  リセットゲート
１１  基板
１２  固体撮像素子
２４  タイミング発生回路
２５  ＤＣクランプ部
３２、４４、４８  コンデンサ
３３  端子
４１  第１のパルス生成部
４２  第２のパルス生成部
４３  パルス加算部
４５  ダイオード
４６、５１  バッファアンプ
【図１】
2006157142.tif 000003
【図２】
2006157142.tif 000004
【図３】
2006157142.tif 000005
【図４】
2006157142.tif 000006
【図５】
2006157142.tif 000007
【図６】
2006157142.tif 000008
【図７】
2006157142.tif 000009
【図８】
2006157142.tif 000010
【図９】
2006157142.tif 000011